【手続補正書】
【提出日】令和2年11月24日(2020.11.24)
【手続補正１】
【補正対象書類名】特許請求の範囲
【補正対象項目名】全文
【補正方法】変更
【補正の内容】
【特許請求の範囲】
【請求項１】
ファイル内に画像をカプセル化する方法であって、前記方法は、
前記画像の撮像モードに基づいて、グループ化タイプ情報データを生成することと、
前記画像をグループとして記述するグループ化データ構造を生成することであって、前記グループ化データ構造は前記グループの前記画像の画像識別子を含む、生成することと、
前記グループ化データ構造、前記グループ化タイプ情報データ、及び前記画像を前記ファイル内に埋め込むことと、
を含む、方法。
【請求項２】
前記グループ化タイプ情報データは、前記グループ化データ構造内に含まれる、請求項１に記載の方法。
【請求項３】
前記グループ化データ構造に関連付けられたプロパティデータ構造が、前記ファイル内にさらに埋め込まれる、請求項１に記載の方法。
【請求項４】
ファイル内に画像をカプセル化する方法であって、前記方法は、
画像に注釈を付けるための情報を記述するラベルパラメータを決定することと、
前記画像をグループとして記述するグループ化データ構造を生成することであって、前記グループ化データ構造は前記グループの前記画像の画像識別子を含む、生成することと、
前記グループ化データ構造、前記ラベルパラメータ、及び前記画像を前記ファイル内に埋め込むことであって、前記ラベルパラメータは前記ファイルのメタデータ部に埋め込まれる、埋め込むことと、
を含む、方法。
【請求項５】
ファイル内の画像を読み取る方法であって、前記方法は、
前記画像の撮像モードに基づくグループ化タイプ情報データを読み取ることと、
前記画像をグループとして記述するグループ化データ構造を読み取ることであって、前記グループ化データ構造は前記グループの前記画像の画像識別子を含む、読み取ることと、
前記グループ化タイプ情報データに従う前記グループ化データ構造内で識別される前記画像を読み取ることと、
を含む、方法。
【請求項６】
前記グループ化タイプ情報データは、前記グループ化データ構造内に含まれる、請求項５に記載の方法。
【請求項７】
前記グループ化データ構造に関連付けられたプロパティデータ構造が、前記ファイル内にさらに埋め込まれる、請求項５に記載の方法。
【請求項８】
ファイル内の画像を読み取る方法であって、前記方法は、
画像に注釈を付けるための情報を記述するラベルパラメータを読み取ることであって、前記ラベルパラメータは前記ファイルのメタデータ部に含まれる、読み取ることと、
前記画像をグループとして記述するグループ化データ構造を読み取ることであって、前記グループ化データ構造は前記グループの前記画像の画像識別子を含む、読み取ることと、
前記ラベルパラメータに従って前記グループ化データ構造内で識別される前記画像を読み取ることと、
を含む、方法。
【請求項９】
データ構造は、ＩＳＯベースメディアファイルフォーマットで定義されるボックスである、請求項１乃至８の何れか１項に記載の方法。
【請求項１０】
グループ化タイプ情報データが、オート露光ブラケットモード、ホワイトバランスブラケットモード、フォーカスブラケットモード、フラッシュ露光ブラケットモード、被写界深度ブラケットモード、ＩＳＯブラケットモード、タイムラプスモード、パノラマモード、画像バーストモード、ユーザコレクションモード、超解像モード、多重露光モード、ノイズ低減モード、長秒時露光ノイズ低減モード、口径食補償モード、及び／又はＨＤＲ撮像モードを含む前記撮像モードのうちの少なくとも１つに対して定義される、請求項１乃至３及び５乃至７の何れか１項に記載の方法。
【請求項１１】
前記グループ化データ構造は、ＩＳＯベースメディアファイルフォーマットで定義されるＥｎｔｉｔｙＴｏＧｒｏｕｐボックス、ＳａｍｐｌｅＴｏＧｒｏｕｐボックス、又はＴｒａｃｋＧｒｏｕｐボックスのうちの１つである、請求項１乃至３の何れか１項に記載の方法。
【請求項１２】
前記プロパティデータ構造は、ＩＳＯベースメディアファイルフォーマットで定義されるＳａｍｐｌｅＥｎｔｒｙボックス、ＳａｍｐｌｅＧｒｏｕｐＥｎｔｒｙボックス、ＩｔｅｍＦｕｌｌＰｒｏｐｅｒｔｙボックス、又はＩｔｅｍＰｒｏｐｅｒｔｙボックスのうちの１つである、請求項３又は７に記載の方法。
【請求項１３】
ファイル内に画像をカプセル化する装置であって、前記装置は、
前記画像の撮像モードに基づいて、グループ化タイプ情報データを生成することと
前記画像をグループとして記述するグループ化データ構造を生成することであって、前記グループ化データ構造は前記グループの前記画像の画像識別子を含む、生成することと、
前記グループ化データ構造、前記グループ化タイプ情報データ、及び前記画像をファイル内に埋め込むことと、
のために構成される回路を含む、装置。
【請求項１４】
ファイル内に画像をカプセル化する装置であって、前記装置は、
画像に注釈を付けるための情報を記述するラベルパラメータを決定することと、
前記画像をグループとして記述するグループ化データ構造を生成することであって、前記グループ化データ構造は前記グループの前記画像の画像識別子を含む、生成することと、
前記グループ化データ構造、前記ラベルパラメータ、及び前記画像を前記ファイル内に埋め込むことであって、前記ラベルパラメータは前記ファイルのメタデータ部に埋め込まれる、埋め込むことと、
のために構成される回路を含む、装置。
【請求項１５】
ファイル内の画像を読み取る装置であって、前記装置は、
前記画像の撮像モードに基づくグループ化タイプ情報データを読み取ることと、
前記画像をグループとして記述するグループ化データ構造を読み取ることであって、前記グループ化データ構造は前記グループの前記画像の画像識別子を含む、読み取ることと、
前記グループ化タイプ情報データに従って前記グループ化データ構造内で識別される前記画像を読み取ることと、
のために構成される回路を含む、装置。
【請求項１６】
ファイル内の画像を読み取る装置であって、前記装置は、
画像に注釈を付けるための情報を記述するラベルパラメータを読み取ることであって、前記ラベルパラメータは前記ファイルのメタデータ部に含まれる、読み取ることと、
前記画像をグループとして記述するグループ化データ構造を読み取ることであって、前記グループ化データ構造は前記グループの前記画像の画像識別子を含む、読み取ることと、
前記ラベルパラメータに従って前記グループ化データ構造内で識別される前記画像を読み取ることと、
のために構成される回路を含む、装置。
【請求項１７】
ファイル内にメディアデータをカプセル化する方法であって、前記方法は、
エンティティのグループを記述するグループ化データ構造を生成することであって、各エンティティはメディアデータの少なくとも一部に対応する、生成することと、
エンティティのグループに関連付けられたプロパティを包含するプロパティコンテナデータ構造を生成することと、
前記プロパティと前記グループ化データ構造との間の関連付け情報を含む関連付けデータ構造を生成することと、
前記プロパティコンテナデータ構造と前記関連付けデータ構造とを含むプロパティデータ構造を生成することと、
前記グループ化データ構造、前記プロパティデータ構造、及び前記メディアデータを前記ファイル内に埋め込むことと、
を含む、方法。
【請求項１８】
エンティティのグループに関連付けられた少なくとも１つのテキスト属性と、前記少なくとも１つのテキスト属性に関連付けられた言語属性と、を含むテキストプロパティを、前記プロパティコンテナデータ構造内に生成する、請求項１７に記載の方法。
【請求項１９】
前記テキストプロパティは、複数の言語属性のそれぞれに関連付けられた複数の同じテキスト属性を含む、請求項１８に記載の方法。
【請求項２０】
前記プロパティコンテナデータ構造は第１及び第２のテキストプロパティを含み、前記第１のテキストプロパティは第１の言語属性に関連付けられたテキスト属性を含み、前記第２のテキストプロパティは第２の言語属性に関連付けられたテキスト属性を含み、前記第１の言語は前記第２の言語とは異なり、前記関連付けデータ構造は、前記第１及び第２のテキストプロパティ間の関連付け情報と、前記グループ化データ構造とを含む、請求項１８に記載の方法。
【請求項２１】
前記テキストプロパティは、名前テキスト属性、記述テキスト属性、及びタグテキスト属性を含む複数のテキスト属性を含む、請求項１８に記載の方法。
【請求項２２】
前記プロパティコンテナデータ構造内で、名前テキストプロパティ、記述テキストプロパティ、及び／又はタグテキストプロパティのうちの少なくとも１つを生成することであって、前記テキストプロパティのそれぞれはエンティティのグループに関連付けられたテキスト属性と前記テキスト属性に関連付けられた言語属性とを少なくとも含む、生成すること、を含む、請求項１８に記載の方法。
【請求項２３】
前記テキストプロパティそれぞれは、複数の言語属性のそれぞれに関連付けられた複数の同じテキスト属性を含む、請求項１９に記載の方法。
【請求項２４】
前記プロパティコンテナデータ構造は第１及び第２のテキストプロパティを含み、前記第１のテキストプロパティは第１の言語属性に関連付けられたテキスト属性を含み、前記第２のテキストプロパティは第２の言語属性に関連付けられた前記テキスト属性を含み、前記第１の言語は前記第２の言語とは異なり、前記関連付けデータ構造は、前記第１及び第２のテキストプロパティ間の関連付け情報と、前記グループ化データ構造とを含む、請求項１９に記載の方法。
【請求項２５】
前記関連付けデータ構造は、少なくともエンティティとのプロパティの関連付けをさらに含む、請求項１７乃至２４の何れか１項に記載の方法。
【請求項２６】
前記テキストプロパティは、複数の言語属性のそれぞれに関連付けられた複数の同じテキスト属性を含む、請求項１９に記載の方法。
【請求項２７】
前記テキストプロパティは、名前テキスト属性、記述テキスト属性、及びタグテキスト属性を含む複数のテキスト属性を含む、請求項１９に記載の方法。
【請求項２８】
ファイル内のメディアデータを読み取る方法であって、前記方法は、
エンティティのグループを記述するグループ化データ構造を読み取ることであって、各エンティティはメディアデータの少なくとも一部に対応する、読み取ることと、
エンティティのグループに関連付けられたプロパティを包含するプロパティコンテナデータ構造を読み取ることと、
前記プロパティと前記グループ化データ構造との間の関連付け情報を含む関連付けデータ構造を読み取ることと、
前記プロパティコンテナデータ構造と前記関連付けデータ構造とを含むプロパティデータ構造を読み取ることと、
前記プロパティに従って前記グループ化データ構造内で識別される前記メディアデータを読み取ることと、
を含む、方法。
【請求項２９】
前記テキストプロパティは、複数の言語属性のそれぞれに関連付けられた複数の同じテキスト属性を含む、請求項１９に記載の方法。
【請求項３０】
前記テキストプロパティは、名前テキスト属性、記述テキスト属性、及びタグテキスト属性を含む複数のテキスト属性を含む、請求項２９に記載の方法。
【請求項３１】
前記プロパティコンテナデータ構造内で、名前テキストプロパティ、記述テキストプロパティ、及び／又はタグテキストプロパティのうちの少なくとも１つを読み取ることであって、前記テキストプロパティのそれぞれはエンティティのグループに関連付けられたテキスト属性と前記テキスト属性に関連付けられた言語属性とを少なくとも含む、読み取ること、を含む、請求項１９に記載の方法。
【請求項３２】
前記テキストプロパティそれぞれは、複数の言語属性のそれぞれに関連付けられた複数の同じテキスト属性を含む、請求項３１に記載の方法。
【請求項３３】
前記プロパティコンテナデータ構造は第１及び第２のテキストプロパティを含み、前記第１のテキストプロパティは第１の言語属性に関連付けられたテキスト属性を含み、前記第２のテキストプロパティは第２の言語属性に関連付けられたテキスト属性を含み、前記第１の言語は前記第２の言語とは異なり、前記関連付けデータ構造は、前記第１及び第２のテキストプロパティ間の関連付け情報と、前記グループ化データ構造とを含む、請求項３１に記載の方法。
【請求項３４】
前記関連付けデータ構造は、少なくともエンティティとのプロパティの関連付けをさらに含む、請求項２８乃至３３の何れか１項に記載の方法。
【請求項３５】
前記テキストプロパティは、複数の言語属性のそれぞれに関連付けられた複数の同じテキスト属性を含む、請求項１９に記載の方法。
【請求項３６】
前記テキストプロパティは、名前テキスト属性、記述テキスト属性、及びタグテキスト属性を含む複数のテキスト属性を含む、請求項１９に記載の方法。
【請求項３７】
ファイル内にメディアデータをカプセル化する装置であって、前記装置は、
エンティティのグループを記述するグループ化データ構造を生成することであって、各エンティティはメディアデータの少なくとも一部に対応する、生成することと、
エンティティのグループに関連付けられたプロパティを含むプロパティコンテナデータ構造を生成することと、
前記プロパティと前記グループ化データ構造との間の関連付け情報を含む関連付けデータ構造を生成することと、
前記プロパティコンテナデータ構造と前記関連付けデータ構造とを含むプロパティデータ構造を生成することと、
前記グループ化データ構造、前記プロパティデータ構造、及び前記メディアデータを前記ファイル内に埋め込むことと、
のために構成される回路を含む、装置。
【請求項３８】
ファイル内にメディアデータをカプセル化する装置であって、前記装置は、
エンティティのグループを記述するグループ化データ構造を生成することであって、各エンティティはメディアデータの少なくとも一部に対応する、生成することと、
エンティティのグループに関連付けられたテキスト属性と前記テキスト属性に関連付けられた言語属性とを少なくとも含む前記グループ化データ構造内にテキストプロパティを生成することと、
前記メディアデータと前記グループ化データ構造とを前記ファイル内に埋め込むことと、
のために構成される回路を含む、装置。
【請求項３９】
ファイル内のメディアデータを読み取る装置であって、前記装置は、
エンティティのグループを記述するグループ化データ構造を読み取ることであって、各エンティティはメディアデータの少なくとも一部に対応する、読み取ることと、
エンティティのグループに関連付けられたプロパティを含むプロパティコンテナデータ構造を読み取ることと、
前記プロパティと前記グループ化データ構造との間の関連付け情報を含む関連付けデータ構造を読み取ることと、
前記プロパティコンテナデータ構造と前記関連付けデータ構造とを含むプロパティデータ構造を読み取ることと、
前記プロパティに従って前記グループ化データ構造内で識別される前記メディアデータを読み取ることと、
のために構成される回路を含む、装置。
【請求項４０】
ファイル内のメディアデータを読み取る装置であって、前記装置は、
エンティティのグループを記述するグループ化データ構造を読み取ることであって、各エンティティはメディアデータの少なくとも一部に対応する、読み取ることと、
エンティティのグループに関連付けられたテキスト属性と前記テキスト属性に関連付けられた言語属性とを少なくとも含む前記グループ化データ構造内のテキストプロパティを読み取ることと、
前記プロパティに従って前記グループ化データ構造内で識別される前記メディアデータを読み取ることと、
のために構成される回路を含む、装置。
【請求項４１】
請求項１乃至１２及び１７乃至３６の何れか１項に記載の方法を実装するためのコンピュータプログラムの命令を格納する、コンピュータ可読記憶媒体。
【請求項４２】
実行されると、請求項１乃至１２及び１７乃至３６の何れか一項に記載の方法を行わせる、コンピュータプログラム。